(57)【要約】      （修正有）【課題】ＳＣ−ＭＩＭＯ伝送においてアンテナ間干渉（ＩＡＩ）とシンボル間干渉（ＩＳＩ）を等化する等化器の演算量の削減とタップ打ち切りによる残留誤差の抑制を行う。【解決手段】送信局装置は、トレーニング信号生成部と、ＩＡＩを等化する送信側伝達関数を用いて複数の第１データ信号のＩＡＩを等化した複数の第２データ信号を出力する送信側線形等化部と、トレーニング信号又は複数の第２データ信号を受信局装置に送信し、送信側伝達関数情報を受信局装置から受信する送信局通信部とを備える。受信局装置は、受信局通信部が受信するトレーニング信号から通信路応答を推定する通信路推定部と、通信路応答に基づいて、送信側伝達関数と、ＩＳＩを等化する受信側伝達関数とを算出する受信側係数算出部と、受信側伝達関数を用いて受信局通信部が受信する複数の第２データ信号からＩＳＩを等化した複数の第３データ信号を出力する受信側線形等化部とを備える。【選択図】図３
2020141173.tif 000002
【特許請求の範囲】
【請求項１】
送信局装置と受信局装置との間でＳＣ−ＭＩＭＯ伝送を行う無線通信システムにおいて、
前記送信局装置は、
既知のトレーニング信号を生成するトレーニング信号生成部と、
アンテナ間干渉を等化するための送信側伝達関数を用いて複数の第１データ信号のアンテナ間干渉を等化した複数の第２データ信号を出力する送信側線形等化部と、
前記トレーニング信号または複数の前記第２データ信号を前記受信局装置に送信し、前記送信側伝達関数に関する情報を前記受信局装置から受信する複数のアンテナを有する送信局通信部と
を備え、
前記受信局装置は、
前記送信局装置が送信する複数の前記第２データ信号または前記トレーニング信号を受信し、前記送信側伝達関数に関する情報を前記送信局装置に送信する複数のアンテナを有する受信局通信部と、
前記受信局通信部により受信する前記トレーニング信号から通信路応答を推定する通信路推定部と、
前記通信路応答に基づいて、アンテナ間干渉を等化するための前記送信側伝達関数と、シンボル間干渉を等化するための受信側伝達関数とを算出する受信側係数算出部と、
前記受信側伝達関数を用いて前記受信局通信部が受信する複数の前記第２データ信号からシンボル間干渉を等化した複数の第３データ信号を出力する受信側線形等化部と
を備えることを特徴とする無線通信システム。
【請求項２】
請求項１に記載の無線通信システムにおいて、
前記受信側係数算出部は、前記受信側線形等化部で用いる前記受信側伝達関数のみを算出して、前記通信路応答に関する情報を前記送信局装置へ送信し、
前記送信局装置は、前記受信局装置から受信する前記通信路応答に関する情報に基づいて、アンテナ間干渉を等化するための前記送信側伝達関数を算出する送信側係数算出部をさらに備える
ことを特徴とする無線通信システム。
【請求項３】
送信局装置と受信局装置との間でＳＣ−ＭＩＭＯ伝送を行う無線通信方法であって、
前記送信局装置は、
既知のトレーニング信号を生成するトレーニング信号生成処理と、
アンテナ間干渉を等化する送信側伝達関数を用いて複数の第１データ信号のアンテナ間干渉を等化した複数の第２データ信号を出力する送信側線形等化処理と、
前記トレーニング信号または複数の前記第２データ信号を前記受信局装置に送信し、前記送信側伝達関数に関する情報を前記受信局装置から受信する複数の送信局通信処理と
を実行し、
前記受信局装置は、
前記送信局装置が送信する複数の前記第２データ信号または前記トレーニング信号を受信し、前記送信側伝達関数に関する情報を前記送信局装置に送信する複数の受信局通信処理と、
前記送信局装置から受信する前記トレーニング信号から通信路応答を推定する通信路推定処理と、
前記通信路応答に基づいて、アンテナ間干渉を等化するための前記送信側伝達関数と、シンボル間干渉を等化するための受信側伝達関数とを算出する受信側係数算出処理と、
前記受信側伝達関数を用いて前記受信局通信処理により受信する複数の前記第２データ信号からシンボル間干渉を等化した複数の第３データ信号を出力する受信側線形等化処理と
を実行することを特徴とする無線通信方法。
【請求項４】
請求項３に記載の無線通信方法において、
前記受信側係数算出処理では、前記受信側線形等化処理で用いる前記受信側伝達関数のみを算出して、前記通信路応答に関する情報を前記送信局装置へ送信し、
前記送信局装置は、前記受信局装置から受信する前記通信路応答に関する情報に基づいて、アンテナ間干渉を等化するための前記送信側伝達関数を算出する送信側係数算出処理をさらに実行する
ことを特徴とする無線通信方法。
【請求項５】
受信局装置との間でＳＣ−ＭＩＭＯ伝送を行う送信局装置において、
既知のトレーニング信号を生成するトレーニング信号生成部と、
アンテナ間干渉を等化するための送信側伝達関数を用いて複数の第１データ信号のアンテナ間干渉を等化した複数の第２データ信号を出力する送信側線形等化部と、
前記トレーニング信号または複数の前記第２データ信号を前記受信局装置に送信し、前記送信側伝達関数に関する情報を前記受信局装置から受信する複数のアンテナを有する送信局通信部と
を備えることを特徴とする送信局装置。
【請求項６】
請求項５に記載の送信局装置において、
前記送信局装置は、前記受信局装置から受信する通信路応答に関する情報に基づいて、アンテナ間干渉を等化するための前記送信側伝達関数を算出する送信側係数算出部をさらに備える
ことを特徴とする送信局装置。
【請求項７】
送信局装置との間でＳＣ−ＭＩＭＯ伝送を行う受信局装置において、
前記送信局装置が送信する複数の第２データ信号またはトレーニング信号を受信し、送信側でアンテナ間干渉を等化するための送信側伝達関数に関する情報を前記送信局装置に送信する複数のアンテナを有する受信局通信部と、
前記受信局通信部により受信する前記トレーニング信号から通信路応答を推定する通信路推定部と、
前記通信路応答に基づいて、アンテナ間干渉を等化するための前記送信側伝達関数と、シンボル間干渉を等化するための受信側伝達関数とを算出する受信側係数算出部と、
前記受信側伝達関数を用いて前記受信局通信部が受信する複数の前記第２データ信号からシンボル間干渉を等化した複数の第３データ信号を出力する受信側線形等化部と
を備えることを特徴とする受信局装置。
【請求項８】
請求項７に記載の受信局装置において、
前記受信側係数算出部は、前記受信側線形等化部で用いる前記受信側伝達関数のみを算出して、前記通信路応答に関する情報を前記送信局装置へ送信する
ことを特徴とする受信局装置。
【発明の詳細な説明】
【技術分野】
【０００１】
本発明は、ＳＣ−ＭＩＭＯ（Single Carrier Multiple-Input Multiple-Output）伝送を行う無線通信システムにおいて、アンテナ間干渉とシンボル間干渉とを抑制する時間領域線形等化器の技術に関する。
【背景技術】
【０００２】
周波数選択性のフェージングがある通信環境下で広帯域のＳＣ−ＭＩＭＯ伝送を行う場合、複数のアンテナの空間的な広がりにより生じるＩＡＩ（Inter-Antenna Interference：アンテナ間干渉）と、通信路特性の時間的な広がりにより生じるＩＳＩ（Inter-Symbol Interference：シンボル間干渉）を抑制するための処理が必要となる。
【０００３】
そこで、時間領域線形等化器を用いて時間／空間方向に送信ビーム形成を行うことで、低処理遅延でＩＡＩ／ＩＳＩを同時に等化する方法が検討されている（例えば、非特許文献１参照）。
【先行技術文献】
【非特許文献】
【０００４】
【非特許文献１】栗山圭太,福園隼人,吉岡正文,立田努,“広帯域シングルキャリアＭＩＭＯ伝送のためのＦＩＲ型送信ビーム形成”信学技報,vol.118,no.435,RCS2018-247,pp.31-36,2019年1月.
【発明の概要】
【発明が解決しようとする課題】
【０００５】
ところが、非特許文献１では、等化器の伝達関数行列を算出するために多項式の乗算を行うので、ＣＩＲ（Channel Impulse Response）の長さが大きいと多項式の次数も大きくなり、演算量が膨大になるという問題がある。また、等化器の伝達関数がＩＩＲ（Infinite Impulse Response）形式となるため、タップ打ち切りによる誤差により、ＩＡＩ／ＩＳＩ成分が残留するという問題がある。
【０００６】
本発明は、ＳＣ−ＭＩＭＯ伝送においてＩＡＩとＩＳＩを等化する等化器の演算量の削減とタップ打ち切りによる残留誤差の抑制を行うことができる無線通信システム、無線通信方法、送信局装置および受信局装置を提供することを目的とする。
【課題を解決するための手段】
【０００７】
第１の発明は、送信局装置と受信局装置との間でＳＣ−ＭＩＭＯ伝送を行う無線通信システムにおいて、前記送信局装置は、既知のトレーニング信号を生成するトレーニング信号生成部と、アンテナ間干渉を等化するための送信側伝達関数を用いて複数の第１データ信号のアンテナ間干渉を等化した複数の第２データ信号を出力する送信側線形等化部と、前記トレーニング信号または複数の前記第２データ信号を前記受信局装置に送信し、前記送信側伝達関数に関する情報を前記受信局装置から受信する複数のアンテナを有する送信局通信部とを備え、前記受信局装置は、前記送信局装置が送信する複数の前記第２データ信号または前記トレーニング信号を受信し、前記送信側伝達関数に関する情報を前記送信局装置に送信する複数のアンテナを有する受信局通信部と、前記受信局通信部により受信する前記トレーニング信号から通信路応答を推定する通信路推定部と、前記通信路応答に基づいて、前記送信側伝達関数と、シンボル間干渉を等化するための受信側伝達関数とを算出する受信側係数算出部と、前記受信側伝達関数を用いて前記受信局通信部が受信する複数の前記第２データ信号からシンボル間干渉を等化した複数の第３データ信号を出力する受信側線形等化部とを備えることを特徴とする。
【０００８】
第２の発明は、第１の発明において、前記受信側係数算出部は、前記受信側線形等化部で用いる前記受信側伝達関数のみを算出して、前記通信路応答に関する情報を前記送信局装置へ送信し、前記送信局装置は、前記受信局装置から受信する前記通信路応答に関する情報に基づいて、アンテナ間干渉を等化するための前記送信側伝達関数を算出する送信側係数算出部をさらに備えることを特徴とする。
【０００９】
第３の発明は、送信局装置と受信局装置との間でＳＣ−ＭＩＭＯ伝送を行う無線通信方法であって、前記送信局装置は、既知のトレーニング信号を生成するトレーニング信号生成処理と、アンテナ間干渉を等化する送信側伝達関数を用いて複数の前記第１データ信号のアンテナ間干渉を等化した複数の第２データ信号を出力する送信側線形等化処理と、前記トレーニング信号または複数の前記第２データ信号を前記受信局装置に送信し、前記送信側伝達関数に関する情報を前記受信局装置から受信する複数の送信局通信処理とを実行し、前記受信局装置は、前記送信局装置が送信する複数の前記第２データ信号または前記トレーニング信号を受信し、前記送信側伝達関数に関する情報を前記送信局装置に送信する複数の受信局通信処理と、前記送信局装置から受信する前記トレーニング信号から通信路応答を推定する通信路推定処理と、前記通信路応答に基づいて、前記送信側伝達関数と、シンボル間干渉を等化するための受信側伝達関数とを算出する受信側係数算出処理と、前記受信側伝達関数を用いて前記受信局通信処理により受信する複数の前記第２データ信号からシンボル間干渉を等化した複数の第３データ信号を出力する受信側線形等化処理とを実行することを特徴とする。
【００１０】
第４の発明は、第３の発明において、前記受信側係数算出処理では、前記受信側線形等化処理で用いる受信側伝達関数のみを算出して、前記通信路応答に関する情報を前記送信局装置へ送信し、前記送信局装置は、前記受信局装置から受信する前記通信路応答に関する情報に基づいて、アンテナ間干渉を等化するための前記送信側伝達関数を算出する送信側係数算出処理をさらに実行することを特徴とする。
【００１１】
第５の発明は、受信局装置との間でＳＣ−ＭＩＭＯ伝送を行う送信局装置において、既知のトレーニング信号を生成するトレーニング信号生成部と、アンテナ間干渉を等化するための送信側伝達関数を用いて複数の第１データ信号のアンテナ間干渉を等化した複数の第２データ信号を出力する送信側線形等化部と、前記トレーニング信号または複数の前記第２データ信号を前記受信局装置に送信し、前記送信側伝達関数に関する情報を前記受信局装置から受信する複数のアンテナを有する送信局通信部とを備えることを特徴とする。
【００１２】
第６の発明は、第５の発明において、前記送信局装置は、前記受信局装置から受信する通信路応答に関する情報に基づいて、アンテナ間干渉を等化するための前記送信側伝達関数を算出する送信側係数算出部をさらに備えることを特徴とする。
【００１３】
第７の発明は、送信局装置との間でＳＣ−ＭＩＭＯ伝送を行う受信局装置において、前記送信局装置が送信する複数の第２データ信号またはトレーニング信号を受信し、送信側でアンテナ間干渉を等化するための送信側伝達関数に関する情報を前記送信局装置に送信する複数のアンテナを有する受信局通信部と、前記受信局通信部により受信する前記トレーニング信号から通信路応答を推定する通信路推定部と、前記通信路応答に基づいて、前記送信側伝達関数と、シンボル間干渉を等化するための受信側伝達関数とを算出する受信側係数算出部と、前記受信側伝達関数を用いて前記受信局通信部が受信する複数の前記第２データ信号からシンボル間干渉を等化した複数の第３データ信号を出力する受信側線形等化部とを備えることを特徴とする。
【００１４】
第８の発明は、第７の発明において、前記受信側係数算出部は、前記受信側線形等化部で用いる前記受信側伝達関数のみを算出して、前記通信路応答に関する情報を前記送信局装置へ送信することを特徴とする。
【発明の効果】
【００１５】
本発明に係る無線通信システム、無線通信方法、送信局装置および受信局装置は、ＳＣ−ＭＩＭＯ伝送においてＩＡＩとＩＳＩを等化する等化器の演算量の削減とタップ打ち切りによる残留誤差の抑制を行うことができる。
【図面の簡単な説明】
【００１６】
【図１】第１実施形態および第２実施形態に係る無線通信システムの一例を示す図である。
【図２】２×２ＭＩＭＯの一例を示す図である。
【図３】第１実施形態に係る送信局装置および受信局装置の一例を示す図である。
【図４】第１実施形態に係る無線通信システムの処理例を示す図である。
【図５】第２実施形態に係る送信局装置および受信局装置の一例を示す図である。
【図６】第２実施形態に係る無線通信システムの処理例を示す図である。
【発明を実施するための形態】
【００１７】
以下、図面を参照して本発明に係る無線通信システム、無線通信方法、送信局装置および受信局装置の実施形態について説明する。
【００１８】
図１は、第１実施形態および第２実施形態に係る無線通信システム１００の一例を示す。図１において、無線通信システム１００は、複数（ＮＴ個：ＮＴ≧２の整数）のアンテナＡＴｔ（１）からアンテナＡＴｔ（ＮＴ）を有する送信局装置１０１と、複数（ＮＲ個：ＮＲ≧２の整数）のアンテナＡＴｒ（１）からアンテナＡＴｒ（ＮＲ）を有する受信局装置１０２とを備え、送信局装置１０１と受信局装置１０２との間で無線通信を行う。ここで、以降の説明において、送信局装置１０１のアンテナＡＴｔ（１）からアンテナＡＴｔ（ＮＴ）に共通の説明を行う場合は符号末尾の（番号）を省略してアンテナＡＴｔと表記し、特定のアンテナを指す場合は符号末尾に（番号）を付加して例えばアンテナＡＴｔ（１）のように表記する。受信局装置１０２のアンテナＡＴｒ（１）からアンテナＡＴｒ（ＮＲ）についても同様に表記する。また、複数の同じブロックを有する場合についても同様に表記する。
【００１９】
本実施形態に係る無線通信システム１００は、送信局装置１０１と受信局装置１０２の間で複数のアンテナを用いた広帯域のＳＣ−ＭＩＭＯ方式による無線通信を行う。ここで、送信局装置１０１と受信局装置１０２の間の無線通信路では、マルチパスなど遅延時間が異なる複数の遅延波が存在し、周波数選択性のフェージングが生じる。このため、アンテナ間干渉（ＩＡＩ）と通信路特性によるシンボル間干渉（ＩＳＩ）とを抑制する必要がある。図１の例では、送信局装置１０１のＮＴ個のアンテナと、受信局装置１０２のＮＲ個のアンテナとの間で空間的な広がりによるアンテナ間干渉（ＩＡＩ）が生じる。また、送信局装置１０１と受信局装置１０２のそれぞれのアンテナ間で送受信される信号には、時間的な広がりによるシンボル間干渉（ＩＳＩ）が生じる。ここで、送信局装置１０１と受信局装置１０２との間の無線通信路の通信路応答（ＣＩＲ）をＨ（ｚ）とすると、通信路応答Ｈ（ｚ）は、複数のアンテナの数に応じてＮＴ×ＮＲを要素とする伝達関数の行列（伝達関数行列と称する）で表すことができる。
【００２０】
図１において、送信局装置１０１は、ＱＡＭ変調部２０１、送信側線形等化部２０２、ＲＦ部２０３およびアンテナＡＴｔを備える。
【００２１】
ＱＡＭ変調部２０１は、受信局装置１０２へ送信するデータ情報ビットのビット列を直交振幅変調（ＱＡＭ：Quadrature Amplitude Modulation）したデータ信号Ｓ（ｎ）（送信データ信号と称する）を出力する。なお、ＱＡＭ変調部２０１は、ＱＡＭ変調部２０１（１）からＱＡＭ変調部２０１（Ｋ）を有し（Ｋ：Ｋ≧１の整数）、Ｋ個のストリームに対応するデータ信号Ｓ（ｎ）を出力する。ここで、データ信号Ｓ（ｎ）は、Ｋ×１を要素とする行列である。
【００２２】
送信側線形等化部２０２は、送信局装置１０１と受信局装置１０２との間のＣＩＲに基づいて算出された送信側の伝達関数行列ＷＴ（ｚ）により等化処理を行う。伝達関数行列ＷＴ（ｚ）は、ＮＴ×Ｋ個の伝達関数を要素とする行列である。なお、等化処理と同時に送信電力を正規化する処理も行われる。ここで、本実施形態では、送信側線形等化部２０２は、送信ビーム形成によりＩＡＩの等化を行う。送信側線形等化部２０２は、例えばＱＡＭ変調部２０１が出力するデータ信号を保持し、一定時間毎にシフトする遅延タップを有し、各遅延タップの信号に所定のタップ係数を乗算した信号の和を出力するＦＩＲ（Finite Impulse Response）型の等化器で実現できる。ここで、ＩＡＩ等化用の伝達関数は、送信局装置１０１から送信されるトレーニング信号により受信局装置１０２が推定したＣＩＲに基づいて算出される。
【００２３】
ＲＦ部２０３は、ＮＴ個のアンテナＡＴｔにそれぞれ対応するＮＴ個のＲＦ部２０３（１）からＲＦ部２０３（ＮＴ）を有し、送信側線形等化部２０２が出力するＩＡＩの等化されたデータ信号またはトレーニング信号を高周波の送信信号に周波数変換して、ストリーム毎にアンテナＡＴｔから送出する。
【００２４】
アンテナＡＴｔは、アンテナＡＴｔ（１）からアンテナＡＴｔ（ＮＴ）のＮＴ個の送受信用のアンテナを有し、ＲＦ部２０３が出力する高周波信号を電磁波として空間に放射する。
【００２５】
このようにして、送信局装置１０１は、ＩＡＩを等化した送信信号を受信局装置１０２へ送信することができる。
【００２６】
図１において、受信局装置１０２は、アンテナＡＴｒ、ＲＦ部３０１、受信側線形等化部３０２およびＱＡＭ復調部３０３を備える。
【００２７】
アンテナＡＴｒは、アンテナＡＴｒ（１）からアンテナＡＴｒ（ＮＲ）のＮＲ個の送受信用のアンテナを有し、送信局装置１０１から送信された空間上の電磁波を高周波信号に変換する。
【００２８】
ＲＦ部３０１は、ＮＲ個のアンテナＡＴｒにそれぞれ対応するＮＲ個のＲＦ部３０１（１）からＲＦ部３０１（ＮＲ）を有し、アンテナＡＴｒ（１）からアンテナＡＴｒ（ＮＲ）が出力するそれぞれの高周波信号をベースバンド信号に周波数変換する。
【００２９】
受信側線形等化部３０２は、送信局装置１０１と受信局装置１０２との間のＣＩＲに基づいて算出された受信側の伝達関数行列ＷＲ（ｚ）で等化処理を行う。伝達関数行列ＷＲ（ｚ）は、Ｋ×ＮＲ個の伝達関数を要素とする行列である。ここで、伝達関数行列ＷＲ（ｚ）は、送信局装置１０１から送信されるトレーニング信号により受信局装置１０２が推定したＣＩＲに基づいて算出され、ＩＳＩを等化する。
【００３０】
ＱＡＭ復調部３０３は、受信側線形等化部３０２が出力するＩＳＩの等化されたＫ個のストリームのデータ信号Ｓ＾（ｎ）を情報ビットに復調し、ビット列を出力する。なお、受信側線形等化部３０２は、アンテナＡＴｒの数に応じてＮＲ個のストリームのデータ信号Ｓ＾（ｎ）を出力するので、ＱＡＭ復調部３０３は、ストリーム毎にデータ信号Ｓ＾（ｎ）を復調する。
【００３１】
このようにして、受信局装置１０２は、ＮＲ個のアンテナＡＴｒで受信する信号からＩＳＩを等化し、データ信号を復調することができる。
【００３２】
なお、受信局装置１０２では、送信局装置１０１から送信されるトレーニング信号からＣＩＲを推定し、受信局装置１０２でＩＳＩ等化用の伝達関数を算出する。また、送信側線形等化部２０２が用いる伝達関数は、後述するように、受信局装置１０２側で算出して送信局装置１０１側に送信してもよいし、受信局装置１０２側から送信局装置１０１側にＣＩＲの情報を送信して、送信局装置１０１側で伝達関数を算出するようにしてもよい。
【００３３】
図１において、ＱＡＭ変調部２０１が出力するデータ信号をＳ（ｎ）、送信側線形等化部２０２の伝達関数行列をＷＴ（Ｚ）、ＣＩＲの伝達関数行列をＨ（ｚ）、受信側線形等化部３０２の伝達関数行列をＷＲ（ｚ）、ＱＡＭ復調部３０３が出力するデータ信号をＳ＾（ｎ）、付加雑音をη（ｎ）とすると、本実施形態に係る無線通信システム１００において送受信される信号の関係は、式（１）で表すことができる。
【００３４】
【数１】
2020141173.tif 000003
ここで、Ｓ（ｎ）、ＷＴ（Ｚ）、Ｈ（ｚ）、ＷＲ（ｚ）、Ｓ＾（ｎ）およびη（ｎ）は、以下の通りである。
【００３５】
【数２】
2020141173.tif 000004
なお、Ｃは行列の要素の集合を表し、例えばＣＫ＋１は（Ｋ＋１）個の要素を有する。ここで、Ｋは、データ信号のストリーム数（ただし、Ｋ＝ＮＴ）である。
【００３６】
式（１）において、ＣＩＲの伝達関数行列Ｈ（ｚ）は、式（２）で表される。
【００３７】
【数３】
2020141173.tif 000005
ここで、伝達関数行列Ｈ（ｚ）の各要素の伝達関数Ｈｎｒｎｔ（ｚ）は、式（３）で表される。なお、ｎｒは１≦ｎｒ≦ＮＲの整数、ｎｔは１≦ｎｔ≦ＮＴの整数である。また、式（３）の記号Ｈおよびｈの下付き文字ｎｒおよびｎｔは、文書中で記載する場合、Ｈｎｒｎｔ（ｚ）のようにｎｒおよびｎｔと表記する。他の記号の下付き文字についても同様に表記する。
【００３８】
【数４】
2020141173.tif 000006
ここで、Ｚ−ｌ：伝達関数の遅延作用素、ｈ（ｌ）ｎｒｎｔ：第ｎｒ番目の受信アンテナと第ｎｔ番目の送信アンテナ間のｌパス目のＣＩＲである。ｌは、０≦ｌ≦Ｌ−１（Ｌは正の整数）の整数で、パス数Ｌの中のパス番号を示す。なお、パス数Ｌは、マルチパスなどの数を示す。
【００３９】
また、送信局装置１０１の送信側線形等化部２０２の伝達関数行列ＷＴ（ｚ）は、式（４）で表される。
【００４０】
【数５】
2020141173.tif 000007
ここで、伝達関数行列ＷＴ（ｚ）の各要素の伝達関数ＷＴ，ｎｔｋ（ｚ）は、式（５）で表される。なお、Ｗ（ｐ）Ｔ，ｎｔｋは、第ｋ番目（ｋは、１≦ｋ≦Ｋの整数）のストリームのデータ信号を入力し、第ｎｔ番目の送信アンテナへ信号を出力する送信側線形等化部２０２のｐ番目のタップ係数を示す。ｐは、０≦ｐ≦Ｐ−１の整数で（Ｐは正の整数）、送信側線形等化部２０２のタップ数Ｐの中のタップ番号を示す。
【００４１】
【数６】
2020141173.tif 000008
また、受信局装置１０２の受信側線形等化部３０２の伝達関数行列ＷＲ（ｚ）は、式（６）で表される。
【００４２】
【数７】
2020141173.tif 000009
ここで、伝達関数行列ＷＲ（ｚ）の各要素の伝達関数ＷＲ，ｎｒ（ｚ）は、式（７）で表される。なお、Ｗ（ｑ）Ｒ，ｎｒは、第ｎｒ番目の受信アンテナの信号を入力し、等化処理を行う受信側線形等化部３０２のｑ番目のタップ係数を示す。ｑは、０≦ｑ≦Ｑ−１の整数で（Ｑは正の整数）、受信側線形等化部３０２のタップ数Ｑの中のタップ番号を示す。
【００４３】
【数８】
2020141173.tif 000010
（送信側線形等化部２０２および受信側線形等化部３０２の伝達関数の算出）
次に、Ｚｅｒｏ−ｆｏｒｃｉｎｇ規範での送信側線形等化部２０２および受信側線形等化部３０２の伝達関数の算出について説明する。
【００４４】
本実施形態では、ＣＩＲ（Ｈ（ｚ））の等化を送信局装置１０１と受信局装置１０２とで分割して行うので、式（８）に示すように、送信側線形等化部２０２の伝達関数行列ＷＴ（ｚ）と、受信側線形等化部３０２の伝達関数行列ＷＲ（ｚ）とを乗算した行列がＣＩＲの伝達関数行列Ｈ（ｚ）の逆行列Ｈ−１（ｚ）となる。ここで、Ｈ−１（ｚ）は、１／ｄｅｔ（Ｈ（ｚ））の伝達関数とａｄｊ（Ｈ（ｚ））の行列との積で表すことができる。
【００４５】
【数９】
2020141173.tif 000011
ここで、ｄｅｔ（・）、ａｄｊ（・）はそれぞれ行列式、随伴行列（adjugate matrix）を表す。なお、ａｄｊは、エルミート転置を表す随伴行列（adjoint matrix）とは異なる。
【００４６】
式（８）において、送信側線形等化部２０２の伝達関数行列ＷＴ（ｚ）を式（９）とする。
【００４７】
【数１０】
2020141173.tif 000012
また、式（８）において、受信側線形等化部３０２の伝達関数行列ＷＲ（ｚ）を式（１０）とする。
【００４８】
【数１１】
2020141173.tif 000013
ここで、Ｉは単位行列である。
【００４９】
以上のような線形等化器の伝達関数行列ＷＴ（ｚ）および伝達関数行列ＷＲ（ｚ）を乗算すれば、信号の入出力関係は式（１１）のようになり、データ信号Ｓ（ｎ）の復調が可能となる。
【００５０】
【数１２】
2020141173.tif 000014
このようにして、本実施形態に係る無線通信システム１００は、時間領域線形等化器によるＩＡＩ／ＩＳＩ等化の機能を送信側線形等化部２０２と受信側線形等化部３０２とで分担することで、演算量を削減することができる。また、送信側でＩＩＲ形式の伝達関数を用いないので、ＩＡＩのタップ打ち切り誤差を抑制することができる。
【００５１】
（２×２ＭＩＭＯの例）
次に、具体例として、２×２ＭＩＭＯの場合について詳しく説明する。
【００５２】
図２は、２×２ＭＩＭＯの一例を示す。なお、図２において、図１と同符号のブロックは、図１のブロックと同様に動作する。ここで、図２は、図１に示した無線通信システム１００においてＮＴ＝２およびＮＲ＝２の場合を示し、送信局装置１０１は、アンテナＡＴｔ（１）およびアンテナＡＴｔ（２）の２個のアンテナ、受信局装置１０２は、アンテナＡＴｒ（１）およびアンテナＡＴｒ（２）の２個のアンテナを有する。なお、ストリーム数Ｋは２である。
【００５３】
図２において、通信路応答ＣＩＲは、式（２）のＨ（ｚ）において、ＮＴ＝２、ＮＲ＝２として、式（１２）のようにＨ（ｚ）を表すことができる。
【００５４】
【数１３】
2020141173.tif 000015
図２の例では、送信局装置１０１の２個のアンテナと、受信局装置１０２の２個のアンテナとの間で空間的な広がりによるＩＡＩが生じるが、式（９）の送信側線形等化部２０２の伝達関数行列ＷＴ（ｚ）において、ＮＴ＝２、Ｋ＝２として、式（１３）のように伝達関数行列ＷＴ（ｚ）を表すことができる。
【００５５】
【数１４】
2020141173.tif 000016
ここで、ＷＴ（ｚ）はＦＩＲ型の等化器により構成される。
【００５６】
そして、受信局装置１０２で受信される受信信号Ｙ（ｎ）は、式（１４）のように表すことができる。
【００５７】
【数１５】
2020141173.tif 000017
一方、受信局装置１０２において、受信側線形等化部３０２の伝達関数行列ＷＲ（ｚ）は、式（１５）で表すことができる。なお、Ｉは単位行列である。
【００５８】
【数１６】
2020141173.tif 000018
ここで、ＷＲ（ｚ）はＩＩＲ型の等化器により構成されるが、無限級数を用いた近似を行うことにより、ＦＩＲ型の等化器として構成することができる。また、式（１５）に示すように、受信局装置１０２側の対角化された伝達関数行列ＷＲ（ｚ）の対角成分は同じであり、ストリーム毎に共通のものを用いるため、多項式の乗算は１回行うだけでよい。
【００５９】
そして、受信側線形等化部３０２は、式（１４）の受信信号Ｙ（ｎ）に式（１５）の伝達関数行列ＷＲ（ｚ）を乗算することにより、式（１６）に示すように受信信号Ｙ（ｎ）に含まれるＩＳＩを等化し、データ信号Ｓ（ｎ）を復調することができる。
【００６０】
【数１７】
2020141173.tif 000019
（従来技術との演算量の比較）
次に、本実施形態における送信側線形等化部２０２および受信側線形等化部３０２の演算量と、従来技術の等化器の演算量とを比較する。
【００６１】
次式は、従来技術で説明した非特許文献１において、送信側の等化器で用いられる伝達関数行列Ｗ（ｚ）を示す。
【００６２】
【数１８】
2020141173.tif 000020
上式の場合、２×２のＭＩＭＯなので、多項式の乗算を２×２＝４回行うことになる。ＮＴ×ＮＲのＭＩＭＯの場合は、多項式の乗算をＮＴ×ＮＲ回も行わなければならない。
【００６３】
これに対して、本実施形態では、送信局装置１０１の送信側線形等化部２０２は、式（１３）の伝達関数行列ＷＴ（ｚ）をデータ信号Ｓ（ｎ）に乗算するだけなので、多項式の乗算を行う必要がない。また、受信局装置１０２の受信側線形等化部３０２は、式（１５）の伝達関数行列ＷＲ（ｚ）を受信信号Ｙ（ｎ）に乗算するが、受信側の伝達関数は、各ストリーム毎に共通のものを用いるため、多項式の乗算は１回だけ行えばよい。
【００６４】
このように、本実施形態に係る無線通信システム１００は、従来技術に比べて、多項式の乗算回数が少ないので、演算量を大幅に削減することができる。
【００６５】
（等化器の残留成分の比較）
次に、本実施形態における送信側線形等化部２０２および受信側線形等化部３０２の残留成分と、従来技術の等化器の残留成分とを比較する。
【００６６】
式（１８）は、従来技術で説明した非特許文献１における等化器の残留成分を示す。なお、Δｉｊは、ＩＡＩ／ＩＳＩの残留成分である。
【００６７】
【数１９】
2020141173.tif 000021
式（１８）に示すように、アンテナＡＴｔ（１）とＡＴｒ（２）、および、アンテナＡＴｔ（２）とＡＴｒ（１）のアンテナ間においてＩＡＩの成分Δ１２およびΔ２１が残留し、アンテナＡＴｔ（１）とＡＴｒ（１）、および、アンテナＡＴｔ（２）とＡＴｒ（２）のアンテナ間においてＩＳＩの成分Δ１１およびΔ２２が残留する。
【００６８】
これに対して、本実施形態では、送信側線形等化部２０２および受信側線形等化部３０２の残留成分は、式（１９）のように表すことができる。なお、Δ〜ｉｊは、ＩＳＩの残留成分である。
【００６９】
【数２０】
2020141173.tif 000022
式（１９）に示すように、アンテナＡＴｔ（１）とＡＴｒ（２）、および、アンテナＡＴｔ（２）とＡＴｒ（１）のアンテナ間におけるＩＡＩの残留成分は０である。そして、アンテナＡＴｔ（１）とＡＴｒ（１）、および、アンテナＡＴｔ（２）とＡＴｒ（２）のアンテナ間におけるＩＳＩの成分Δ〜１１およびΔ〜２２のみが残留する。
【００７０】
このように、本実施形態に係る無線通信システム１００は、従来技術に比べて、送信側でＩＩＲ形式の伝達関数を用いないので、ＩＡＩ等化用の伝達関数のタップ打ち切り誤差を抑制することができる。
【００７１】
［第１実施形態］
図３は、第１実施形態に係る送信局装置１０１および受信局装置１０２の一例を示す。なお、図３は、図１および図２で説明した送信局装置１０１および受信局装置１０２の詳細な構成例を示す。
【００７２】
図３において、送信局装置１０１は、情報ビット生成部４０１、データ信号変調部４０２、トレーニング信号生成部４０３、送信側線形等化部４０４、送信信号変換部４０５、受信信号変換部４０６およびアンテナＡＴｔ（１）からアンテナＡＴｔ（ＮＴ）のＮＴ個のアンテナを有する。また、図３において、受信局装置１０２は、アンテナＡＴｒ（１）からアンテナＡＴｒ（ＮＲ）のＮＲ個のアンテナ、受信信号変換部５０１、通信路推定部５０２、線形等化器係数算出部５０３、受信側線形等化部５０４、データ信号復調部５０５、情報ビット検出部５０６および送信信号変換部５０７を有する。
【００７３】
先ず、送信局装置１０１の構成について説明する。
【００７４】
情報ビット生成部４０１は、受信局装置１０２へ送信するデータ情報ビットを生成する。データ情報ビットは、例えば外部（不図示）から入力するデータ信号、内部で生成するデータ信号などに対応するビット列である。なお、情報ビット生成部４０１は、所定の符号化率で誤り訂正符号を生成する誤り訂正符号化機能やインターリーブ機能などを有してもよい。
【００７５】
データ信号変調部４０２は、情報ビット生成部４０１が出力するビット列を所定の変調方式（例えば直交振幅変調（ＱＡＭ）など）で変調したデータ信号Ｓ（ｎ）を出力する。なお、本実施形態では、情報ビット生成部４０１が出力するビット列をアンテナＡＴｔの数に応じて複数のストリームに分割し、各々のストリーム毎に変調したデータ信号Ｓ（ｎ）を出力するので、各ストリーム毎にデータ信号変調部４０２を有する。
【００７６】
トレーニング信号生成部４０３は、通信路応答（ＣＩＲ）を推定するためのトレーニング信号を生成する（トレーニング信号生成処理に対応）。トレーニング信号は、信号検出用のプリアンブルなどの予め決められた情報（例えば”０１”の交互パターン等の特定パターン）をＰＳＫ（Ｐｈａｓｅ  Ｓｈｉｆｔ  Ｋｅｙｉｎｇ）など干渉を受けにくい変調方式で変調した所定の信号であり、受信局装置１０２でＣＩＲを推定するために用いられる。なお、送信局装置１０１が送信するトレーニング信号の情報は、予め受信局装置１０２との間で既知である。
【００７７】
送信側線形等化部４０４は、データ信号変調部４０２が出力するデータ信号Ｓ（ｎ）（第１データ信号に対応）からＩＡＩを等化した信号（第２データ信号に対応）を送信信号変換部４０５へ出力する（送信側線形等化処理に対応）。送信側線形等化部４０４は、例えば、データ信号変調部４０２が出力するデータ信号を保持し、一定時間毎にシフトする遅延タップを有し、各遅延タップの信号に所定のタップ係数を乗算した信号の和を出力するＦＩＲ型の等化器で実現できる。ここで、タップ係数は、受信局装置１０２が推定したＣＩＲに基づいて算出したＩＡＩ等化用の伝達関数を構成する係数であり、式（９）および式（１３）で説明したＷＴ（ｚ）の等化器を実現する。送信側線形等化部４０４は、ＩＡＩを等化するための線形等化処理を行う。また、線形等化処理と同時に送信電力を正規化する処理も行われる。なお、送信側線形等化部４０４は、トレーニング信号生成部４０３が出力するトレーニング信号については、線形等化処理を行わずにそのまま出力する。
【００７８】
送信信号変換部４０５は、送信側線形等化部４０４が出力するデータ信号またはトレーニング信号をアンテナＡＴｔから送出するための高周波の送信信号に周波数変換する。例えば、送信信号変換部４０５は、２０ＭＨｚ帯域のデータ信号またはトレーニング信号を５ＧＨｚ帯の高周波信号にアップコンバートして、アンテナＡＴｔから送出する。ここで、複数のストリームに分割された各々のストリームは、それぞれ高周波信号に変換され、アンテナＡＴｔ（１）からアンテナＡＴｔ（ＮＴ）のそれぞれから送出される。
【００７９】
受信信号変換部４０６は、アンテナＡＴｔ（１）からアンテナＡＴｔ（ＮＴ）のそれぞれのアンテナにより受信された高周波の受信信号を低周波のベースバンド信号に周波数変換する。例えば、受信信号変換部４０６は、５ＧＨｚ帯の高周波信号をダウンコンバートして２０ＭＨｚ帯域のベースバンド信号を出力する。ここで、本実施形態では、受信信号変換部４０６は、受信局装置１０２から送信側線形等化部２０２で使用する伝達関数を構成するタップ係数などの情報を含む制御信号を受け取り、ベースバンド信号に変換して送信側線形等化部４０４に出力する。なお、ベースバンド信号からタップ係数などの情報を復調する復調部の機能は、送信側線形等化部２０２が有してもよいし、受信信号変換部４０６がタップ係数などの情報を復調して送信側線形等化部４０４へ出力してもよい。ここで、送信信号変換部４０５および受信信号変換部４０６は、送信局通信処理を行う送信局通信部に対応する。
【００８０】
アンテナＡＴｔは、アンテナＡＴｔ（１）からアンテナＡＴｔ（ＮＴ）のＮＴ個の送受信用のアンテナを有し、送信信号変換部４０５が出力する高周波信号を電磁波として空間に放射する。或いは、アンテナＡＴｔは、受信局装置１０２から送信された空間上の電磁波を高周波信号に変換して、受信信号変換部４０６へ出力する。
【００８１】
このようにして、送信局装置１０１は、送信側線形等化部２０２により、ＩＡＩを等化したデータ信号を受信局装置１０２へ送信することができる。
【００８２】
次に、図３に示す受信局装置１０２の構成について説明する。
【００８３】
アンテナＡＴｒは、アンテナＡＴｒ（１）からアンテナＡＴｒ（ＮＲ）のＮＲ個の送受信用のアンテナを有し、後述する送信信号変換部５０７が出力する高周波信号を電磁波として空間に放射する。或いは、アンテナＡＴｒは、送信局装置１０１から送信された空間上の電磁波を高周波信号に変換して、後述する受信信号変換部５０１へ出力する。
【００８４】
受信信号変換部５０１は、送信局装置１０１の受信信号変換部４０６と同様に、アンテナＡＴｒ（１）からアンテナＡＴｒ（ＮＲ）のそれぞれから受信される高周波信号をベースバンド信号に周波数変換する。ここで、送信局装置１０１から受信するトレーニング信号は、通信路推定部５０２へ出力され、送信局装置１０１から受信するデータ信号は、受信側線形等化部５０４へ出力される。
【００８５】
通信路推定部５０２は、送信局装置１０１から送信されるトレーニング信号に基づいてＣＩＲを推定する（通信路推定処理に対応）。
【００８６】
線形等化器係数算出部５０３は、通信路推定部５０２が推定したＣＩＲに基づいて、送信局装置１０１の送信側線形等化部４０４が用いるＩＡＩ等化用の伝達関数（送信側伝達関数に対応）を構成するタップ係数と、受信局装置１０２の受信側線形等化部５０４が用いるＩＳＩ等化用の伝達関数（受信側伝達関数に対応）を構成するタップ係数とをそれぞれ算出する。そして、線形等化器係数算出部５０３が算出したＩＡＩ等化用の伝達関数を構成するタップ係数などの情報を送信局装置１０１側に送信する。なお、線形等化器係数算出部５０３は、受信側係数算出処理を行う受信側係数算出部に対応する。
【００８７】
受信側線形等化部５０４は、線形等化器係数算出部５０３が算出したＩＳＩ等化用の伝達関数を用いて、受信信号変換部５０１が出力する信号からＩＳＩを等化したデータ信号Ｓ＾（ｎ）（第３データ信号に対応）をデータ信号復調部５０５へ出力する（受信側線形等化処理に対応）。
【００８８】
データ信号復調部５０５は、受信側線形等化部５０４が出力するＩＳＩの等化されたデータ信号Ｓ＾（ｎ）を情報ビットに復調し、ビット列を出力する。なお、受信側線形等化部５０４は、アンテナＡＴｒの数に応じて複数のストリームのデータ信号Ｓ＾（ｎ）を出力するので、データ信号復調部５０５は、データ信号Ｓ＾（ｎ）をストリーム毎に復調する。そして、データ信号復調部５０５は、送信局装置１０１側で複数のストリームに分割されたビット列を結合したビット列を情報ビット検出部５０６に出力する。なお、データ信号復調部５０５は、送信局装置１０１側の機能に応じて、誤り訂正復号機能やデインターリーブ機能を備えてもよい。
【００８９】
情報ビット検出部５０６は、データ信号復調部５０５が出力するビット列をデジタルデータに変換した受信データを出力する。なお、誤り訂正復号機能やデインターリーブ機能を情報ビット検出部５０６側で行ってもよい。
【００９０】
送信信号変換部５０７は、線形等化器係数算出部５０３が出力する情報を高周波信号に変換してアンテナＡＴｔから送出する。例えば、本実施形態では、線形等化器係数算出部５０３が算出したＩＡＩを等化するための伝達関数行列ＷＴ（ｚ）を構成するタップ係数などの情報をアンテナＡＴｒから送信局装置１０１側に送信する。なお、タップ係数などの情報をベースバンド信号に変調する変調部の機能は、送信信号変換部５０７が有してもよいし、線形等化器係数算出部５０３が有してもよい。ここで、受信信号変換部５０１および送信信号変換部５０７は、受信局通信処理を行う受信局通信部に対応する。
【００９１】
このようにして、受信局装置１０２は、送信局装置１０１が送信するトレーニング信号からＣＩＲを推定し、推定されたＣＩＲからＩＡＩおよびＩＳＩ等化用の伝達関数を構成するタップ係数を算出する。そして、ＩＳＩ等化用のタップ係数は受信側線形等化部５０４に設定され、ＩＡＩ等化用のタップ係数は送信局装置１０１に送信されて送信側線形等化部４０４に設定される。これにより、ＩＡＩの等化処理を送信局装置１０１側で行い、ＩＳＩの等化処理を受信局装置１０２側で行うことができる。
【００９２】
［無線通信システム１００の処理方法］
図４は、第１実施形態に係る無線通信システム１００の処理の一例を示す。なお、図４に示した処理は、図３に示した送信局装置１０１および受信局装置１０２の各部により実行される。
【００９３】
ステップＳ１０１：送信局装置１０１において、トレーニング信号生成部４０３は、受信局装置１０２側でＣＩＲを推定するためのトレーニング信号を生成し、送信信号変換部４０５によりアンテナＡＴｔから送信する。
【００９４】
ステップＳ１０２：受信局装置１０２において、通信路推定部５０２は、ステップＳ１０１で送信されたトレーニング信号を受信してＣＩＲを推定する。
【００９５】
ステップＳ１０３：受信局装置１０２において、線形等化器係数算出部５０３は、ステップＳ１０２で推定されたＣＩＲに基づいて、ＩＡＩおよびＩＳＩ等化用の伝達関数を構成するタップ係数を算出する。
【００９６】
ステップＳ１０４：受信局装置１０２において、線形等化器係数算出部５０３は、ステップＳ１０３で算出されたＩＡＩ等化用の伝達関数を構成するタップ係数を送信局装置１０１へ送信する。
【００９７】
ステップＳ１０５：受信局装置１０２において、ステップＳ１０３で算出されたＩＳＩ等化用の伝達関数を構成するタップ係数は、受信側線形等化部５０４に設定される。
【００９８】
ステップＳ１０６：送信局装置１０１において、送信側線形等化部４０４は、ステップＳ１０３で算出されたＩＡＩ等化用の伝達関数を構成するタップ係数を受信局装置１０２から受信する。
【００９９】
ステップＳ１０７：送信局装置１０１において、送信側線形等化部４０４は、ステップＳ１０６で受信したＩＡＩ等化用の伝達関数を構成するタップ係数を設定する。
【０１００】
ステップＳ１０８：送信局装置１０１において、送信側線形等化部４０４は、ステップＳ１０７で設定したタップ係数を用いてＩＡＩを等化したデータ信号の送信を開始する。
【０１０１】
ステップＳ１０９：受信局装置１０２において、受信側線形等化部５０４は、ステップＳ１０５で設定したタップ係数を用いて、送信局装置１０１から受信する信号からＩＳＩを等化したデータ信号の受信を開始する。
【０１０２】
このようにして、受信局装置１０２は、送信局装置１０１が送信するトレーニング信号からＣＩＲを推定し、推定されたＣＩＲからＩＡＩおよびＩＳＩ等化用の伝達関数を構成するタップ係数を算出する。そして、ＩＳＩ等化用の伝達関数を構成するタップ係数は受信側線形等化部５０４に設定され、ＩＡＩ等化用の伝達関数を構成するタップ係数は送信局装置１０１に送信されて送信側線形等化部４０４に設定される。これにより、ＩＡＩの等化処理を送信局装置１０１側で行い、ＩＳＩの等化処理を受信局装置１０２側で行うことができる。
【０１０３】
特に、本実施形態に係る無線通信システム１００では、式（１８）および式（２０）で説明したように、多項式の乗算回数が従来技術に比べて少ないので演算量を大幅に削減することができ、さらに、式（２４）で説明したように、ＩＡＩの等化処理にＩＩＲ形式の伝達関数を用いないので、ＩＡＩのタップ打ち切り誤差を抑制することができる。
【０１０４】
［第２実施形態］
図５は、第２実施形態に係る送信局装置１０１ａおよび受信局装置１０２ａの一例を示す。ここで、図５に示す無線通信システム１００ａと図３で説明した無線通信システム１００との違いは、送信局装置１０１ａが線形等化器係数算出部６０１を有することである。また、受信局装置１０２ａの線形等化器係数算出部５０３ａの処理も受信局装置１０２の線形等化器係数算出部５０３と少し異なる。なお、図５において、図３と同符号のブロックは、図３と同様の処理を行う。
【０１０５】
受信局装置１０２ａにおいて、線形等化器係数算出部５０３ａは、通信路推定部５０２が推定したＣＩＲに基づいて、受信局装置１０２の受信側線形等化部５０４でＩＳＩ等化用の伝達関数を構成するタップ係数を算出する。ここで、線形等化器係数算出部５０３ａは、送信局装置１０１の送信側線形等化部４０４でＩＡＩを等化する等化処理を行うための伝達関数を構成するタップ係数の算出を行わず、通信路推定部５０２が推定したＣＩＲに関する情報を送信局装置１０１へ送信する。なお、ＣＩＲに関する情報は、通信路推定部５０２から直接、送信信号変換部５０７を介してアンテナＡＴｒから送信局装置１０１へ送信するようにしてもよい。
【０１０６】
一方、送信局装置１０１ａにおいて、線形等化器係数算出部６０１は、受信局装置１０２ａから送信されたＣＩＲの情報を受信して、送信側線形等化部４０４でＩＡＩ等化用の伝達関数を構成するタップ係数を算出し、送信側線形等化部４０４に設定する。ここで、線形等化器係数算出部６０１は、送信側係数算出処理を行う送信側係数算出部に対応する。
【０１０７】
このようにして、本実施形態に係る無線通信システム１００ａは、第１実施形態に係る無線通信システム１００と同様に、送信局装置１０１ａが送信するトレーニング信号からＣＩＲを推定するが、ＣＩＲに関する情報は送信局装置１０１ａ側へ送信され、ＩＡＩ等化用の伝達関数を構成するタップ係数は送信局装置１０１ａ側で算出される。これにより、等化用伝達関数のタップ係数を算出する処理が送信局装置１０１ａ側と受信局装置１０２ａ側とに分散されるので、線形等化器係数算出部５０３ａの処理量は、第１実施形態の線形等化器係数算出部５０３の処理量よりも少なくできる。ここで、線形等化器係数算出部５０３ａは、受信側係数算出処理を行う受信側係数算出部に対応する。
【０１０８】
なお、本実施形態に係る無線通信システム１００ａにおいても、第１実施形態に係る無線通信システム１００と同様に、多項式の乗算回数が従来技術に比べて少なくなるので演算量を削減することができ、さらに、ＩＡＩの等化処理にＩＩＲ形式の伝達関数を用いないので、タップ打ち切り誤差を抑制することができる。
【０１０９】
［無線通信システム１００ａの処理方法］
図６は、第２実施形態に係る無線通信システム１００ａの処理の一例を示す。なお、図６に示した処理は、図５に示した送信局装置１０１ａおよび受信局装置１０２ａの各部により実行される。なお、図６において、第１実施形態で説明した図４と同符号のステップは、図４と同様の処理を行う。
【０１１０】
ステップＳ１０１およびステップＳ１０２では図４と同様の処理が行われ、受信局装置１０２ａは、送信局装置１０１ａから送信されるトレーニング信号を受信してＣＩＲを推定する。
【０１１１】
ステップＳ２０１：受信局装置１０２ａは、ステップＳ１０１で推定されたＣＩＲを送信局装置１０１ａへ送信する。
【０１１２】
ステップＳ２０２：受信局装置１０２ａにおいて、線形等化器係数算出部５０３ａは、ステップＳ１０２で推定されたＣＩＲに基づいて、ＩＳＩ等化用の伝達関数を構成するタップ係数を算出する。
【０１１３】
ステップＳ２０３：送信局装置１０１ａは、ステップＳ２０１で受信局装置１０２ａから送信されたＣＩＲを受信する。
【０１１４】
ステップＳ２０４：送信局装置１０１ａにおいて、線形等化器係数算出部６０１は、ステップＳ２０３で受信したＣＩＲに基づいて、ＩＡＩ等化用の伝達関数を構成するタップ係数を算出する。
【０１１５】
図６において、ステップＳ１０５では図４の処理と同様の処理が行われ、受信局装置１０２ａにおいて、ステップＳ２０２で算出されたＩＳＩ等化用の伝達関数を構成するタップ係数が受信側線形等化部５０４に設定される。
【０１１６】
図６において、ステップＳ１０７およびステップＳ１０８では、図４の処理と同様の処理が行われ、送信局装置１０１ａにおいて、ステップＳ２０４で算出されたＩＡＩ等化用の伝達関数を構成するタップ係数が送信側線形等化部４０４に設定され、ＩＡＩを等化したデータ信号の送信を開始する。また、ステップＳ１０９では、図４の処理と同様の処理が行われ、受信局装置１０２ａにおいて、受信側線形等化部５０４は、送信局装置１０１ａから受信する信号からＩＳＩを等化したデータ信号の受信を開始する。
【０１１７】
このようにして、本実施形態に係る無線通信システム１００ａは、第１実施形態に係る無線通信システム１００と同様に、送信局装置１０１ａが送信するトレーニング信号からＣＩＲを推定するが、ＣＩＲに関する情報は送信局装置１０１ａ側へ送信され、送信局装置１０１ａ側でＩＡＩ等化用の伝達関数を構成するタップ係数が算出される。これにより、等化用伝達関数のタップ係数を算出する処理が送信局装置１０１ａ側と受信局装置１０２ａ側とに分散されるので、線形等化器係数算出部５０３ａの処理量は、第１実施形態の線形等化器係数算出部５０３の処理量よりも少なくできる。
【０１１８】
以上、各実施形態で説明したように、本発明に係る無線通信システム、無線通信方法、送信局装置および受信局装置は、ＳＣ−ＭＩＭＯ伝送においてＩＡＩとＩＳＩを等化する等化器の演算量の削減とタップ打ち切りによる残留誤差の抑制を行うことができる。
【符号の説明】
【０１１９】
１００，１００ａ・・・無線通信システム；１０１，１０１ａ・・・送信局装置；１０２，１０２ａ・・・受信局装置；２０１・・・ＱＡＭ変調部；２０２，４０４・・・送信側線形等化部；２０３・・・ＲＦ部；３０１・・・ＲＦ部；３０２，５０４・・・受信側線形等化部；３０３・・・ＱＡＭ復調部；４０１・・・情報ビット生成部；４０２・・・データ信号変調部；４０３・・・トレーニング信号生成部；４０５，５０７・・・送信信号変換部；４０６，５０１・・・受信信号変換部；ＡＴｔ，ＡＴｒ・・・アンテナ；５０２・・・通信路推定部；５０３，５０３ａ・・・線形等化器係数算出部；５０５・・・データ信号復調部；５０６・・・情報ビット検出部；６０１・・・線形等化器係数算出部
【図１】
2020141173.tif 000023
【図２】
2020141173.tif 000024
【図３】
2020141173.tif 000025
【図４】
2020141173.tif 000026
【図５】
2020141173.tif 000027
【図６】
2020141173.tif 000028